【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】  容器用の流出装置であって、その流出装置は後方の第１部分と、ピボット点を備えた前方の第２部分と、装置を容器と一体に保持するための機構と、バイアス機構とからなり、最初の非流出状態では第２部分が容器と気密に結合しており、曲がり易い第１ヒンジが第１部分と第２部分との間に設けられ、ピボット点が第１ヒンジから離れているので、使用に際して第１部分を押圧すると、曲がり易い第１ヒンジが曲がり、第２部分の少なくとも一部が最初の非流出状態から第２の流出状態へ移行し、第１部分の押圧を止めると、バイアス機構が第１部分と第２部分とを最初の非流出状態に戻すことを特徴とする、流出装置。
【請求項２】  第２ヒンジが、第１部分の最後部の端に形成されていることを特徴とする、請求項１に記載の流出装置。
【請求項３】  第１部分が湾曲した平面状のものであることを特徴とする、請求項１又は２に記載の流出装置。
【請求項４】  第１部分が親指その他の指を入れる窪みを持っていることを特徴とする、請求項１−３の何れか１つの項に記載の流出装置。
【請求項５】  装置が、第１部分と第２部分とを持った第１本体部と、さらに好ましくはこの装置を容器と一体に保持する機構を持った第２本体部とからなることを特徴とする、請求項１−４の何れか１つの項に記載の流出装置。
【請求項６】  第１本体部と第２本体部とが、第３ヒンジによって互いに一体に保持されていることを特徴とする、請求項５に記載の流出装置。
【請求項７】  第２部分がピボット点に第１突起と第２突起とを持ち、それらの突起が、第２本体部に形成された対応する第１窪みと第２窪みの中に嵌まり込むことができることを特徴とする、請求項５又は６に記載の流出装置。
【請求項８】  第２部分がシール機構を持ち、第２部分が最初の状態にあるときに、シール機構が装置と流出孔との間にシールを形成することを特徴とする、請求項５−７の何れか１つの項に記載の流出装置。
【請求項９】  流出孔が第２本体部上に形成されていることを特徴とする、請求項５−８の何れか１つの項に記載の流出装置。
【請求項１０】  シール機構がその最先部分に逆Ｖ字状形のスロットを備えていることを特徴とする、請求項８に記載の流出装置。
【請求項１１】  流出装置がさらにアンチグラグ装置を含み、アンチグラグ装置が好ましくは流出装置と一体になっていることを特徴とする、請求項１−１０の何れか１つの項に記載の流出装置。
【請求項１２】  第２本体部が１個又は２個以上の内側へ向く突起又はクリップを備えており、突起又はクリップは使用の際に、容器に設けられたそれぞれ孔又は窪みと共働して、装置と容器とを一体に保持していることを特徴とする、請求項５−１１の何れか１つの項に記載の流出装置。
【請求項１３】  流出装置がさらにタンパ機構を含んでいることを特徴とする、請求項１−１２の何れか１つの項に記載の流出装置。
【請求項１４】  タンパ機構が第１部分又は第２部分と第２本体部との間に設けられた脆いタンパ突起からなり、第１部分の最初の押圧が突起に剪断変形を起こさせることを特徴とする、請求項１３に記載の流出装置。
【請求項１５】  装置がさらに脆い一時的な閉塞具を含んでいることを特徴とする、請求項１−１４の何れか１つの項に記載の流出装置。
【請求項１６】  脆い一時的な閉塞具が第１本体部と第２本体部との間にある少なくとも１個の脆いシールであって、そのシールは第２部分の押圧によって破壊されることを特徴とする、請求項１５に記載の流出装置。
【請求項１７】  装置がプラスチックの成形体で作られていることを特徴とする、請求項１−１６の何れか１つの項に記載の流出装置。
【請求項１８】  請求項１−１７の何れか１つの項に記載の流出装置を含んだ容器。
【請求項１９】  容器が一体のハンドルを備えていることを特徴とする、請求項１８に記載の容器。
【請求項２０】  流出孔が容器上に設けられていることを特徴とする、請求項１８又は１９に記載の容器。
【請求項２１】  容器が粘稠な液体又は流体を入れるに適していることを特徴とする、請求項１−２０の何れか１つの項に記載の容器。
【請求項２２】  液体が液状の炭化水素であることを特徴とする、請求項２１に記載の容器。
【請求項２３】  液状の炭化水素がエンジンオイルであることを特徴とする、請求項２２に記載の容器。
【請求項２４】  容器を片手で持ち、容器の内容物の少なくとも一部を流出させるために容器を傾けている間、その手の親指その他の指で第１部分を押圧し、次いで第１部分を放すことからなる、請求項１８−２３の何れか１つの項に記載の容器から内容物を流出させる方法。
【請求項２５】  第１部分を放すと、第２部分が最初の非流出状態に戻り、それによって容器を閉じることを特徴とする、請求項２４に記載の方法。
【手続補正２】
【補正対象書類名】明細書
【補正対象項目名】０００３
【補正方法】変更
【補正の内容】
【０００３】
さらに、公知の容器は、通常２個以上に分離できる部分、例えば流出孔を備えている本体と、ねじ蓋のような取り外しのできる蓋とからなる流出装置を用いている。取り外しのできる蓋が流出装置から取り外されると、蓋を置き忘れることが起こる。また、公知の容器は、流出を容易にするために、両手の使用を必要とすることが多い。
【手続補正３】
【補正対象書類名】明細書
【補正対象項目名】００２５
【補正方法】変更
【補正の内容】
【００２５】
第２部分は、シール機構を持ち、そのシール機構は、第２部分が最初の状態にあるときに、この装置と流出孔との間にシールを形成する。
【手続補正４】
【補正対象書類名】明細書
【補正対象項目名】００２６
【補正方法】変更
【補正の内容】
【００２６】
第１の実施例では、流出孔がこの装置上に形成されていないで、容器上に設けられている。
【手続補正５】
【補正対象書類名】明細書
【補正対象項目名】００２７
【補正方法】変更
【補正の内容】
【００２７】
第２の実施例では、流出孔が第２本体部上に形成されている。
【手続補正６】
【補正対象書類名】明細書
【補正対象項目名】００６０
【補正方法】変更
【補正の内容】
【００６０】
第１図ないし第７図を参照すると、この発明の流出装置の第１の実施例が示されているが、そこではこの発明の装置全体が５ａで示され、装置が容器１０ａに取り付けられている。流出装置５ａは、後方の第１部分１５ａと、前方の第２部分２０ａと、装置５ａを容器１０ａと一体に保持するための手段とからなり、そこでは最初の非流出状態Ａでは第２部分２０ａが容器１０ａと気密に接続しているが、使用に際して第１部分１５ａを押圧すると、第２部分２０ａの少なくとも一部が最初の状態Ａから第２の流出状態Ｂへ移行する。
【手続補正７】
【補正対象書類名】明細書
【補正対象項目名】００７５
【補正方法】変更
【補正の内容】
【００７５】
装置５ｂは第２部分２０ｂと第２本体部４５ｂ上にタンパバンド１２０ｂを備えており、それは装置５ｂが初めて使用されるときに破壊されるが、第２部分２０ｂ上に戻される。
【手続補正８】
【補正対象書類名】明細書
【補正対象項目名】００７６
【補正方法】変更
【補正の内容】
【００７６】
最後に、第１１図ないし第１６図を参照すると、そこには容器１０ｃに取り付けられたこの発明の流出装置５ｃの第３実施例が示されている。装置５ｃの各部分は、第１実施例の装置５ａで用いられているのと同じ数字によって確認することができるが、そこでは「ａ」の代わりに「ｃ」があとに付けられている。